(57)【要約】【課題】  光ディスクに対するアクセスの安定性を向上し得る送り装置を提案する。【解決手段】  駆動モータの動力により第１の回転方向又は当該第１の回転方向とは逆の第２の回転方向に回転する送りねじと、送りねじのねじ溝に係合する係合部と、送りねじの軸方向に沿って係合部を片もち保持する弾性部とを設け、当該ねじ溝又は係合部を、第１の回転方向への回転に応じて弾性部に作用するモーメントと、第２の回転方向への回転に応じて弾性部に作用するモーメントとのいずれか一方を他方に近づかせる形状に形成するようにした。【選択図】        図３
2006172624.tif 000002
【特許請求の範囲】
【請求項１】
光ディスクの径方向に光ピックアップを移動させる送り装置において、
駆動モータの動力により第１の回転方向又は当該第１の回転方向とは逆の第２の回転方向に回転する送りねじと、
上記送りねじのねじ溝に係合する係合部と、
上記送りねじの軸方向に沿って上記係合部を片もち保持する弾性部と
を具え、
上記ねじ溝又は上記係合部は、
上記第１の回転方向への回転に応じて上記弾性部に作用するモーメントと、上記第２の回転方向への回転に応じて上記弾性部に作用するモーメントとのいずれか一方を他方に近づかせる形状に形成された
ことを特徴とする送り装置。
【請求項２】
上記形状は、
上記ねじ溝に係合する係合接点を頂点として非対称となる形状である
ことを特徴とする請求項１に記載の送り装置。
【請求項３】
上記形状は、
上記ねじ溝に係合する係合接点を頂点として上記軸方向のうちの上記弾性部が片持ち保持される保持側に傾斜する傾斜度合いよりも、当該頂点として上記軸方向のうち保持側とは逆側に傾斜する傾斜度合いのほうが大きくなる形状である
ことを特徴とする請求項１に記載の送り装置。
【請求項４】
上記係合部は、
上記第１の回転方向への回転に応じて上記ねじ溝及び上記係合部間に生じる摩擦の摩擦係数と、上記第２の回転方向への回転に応じて上記ねじ溝及び上記係合部間に生じる摩擦の摩擦係数とのうち、大きいほうの上記摩擦係数に小さいほうの上記摩擦係数を近づかせるように、上記ねじ溝との係合面に対して表面処理が施された
ことを特徴とする請求項１に記載の送り装置。
【請求項５】
光ディスクの径方向に光ピックアップを移動させるようにしてデータを記録又は再生する光ディスク装置において、
駆動モータと、
上記駆動モータの動力により第１の回転方向又は当該第１の回転方向とは逆の第２の回転方向に回転する送りねじと、
上記送りねじに摺動自在に設けられ、上記光ピックアップを支持する支持部と、
上記送りねじのねじ溝に係合する係合部と、
上記送りねじの軸方向に沿って上記係合部を上記支持部から片もち保持する弾性部と
を具え、
上記ねじ溝又は上記係合部は、
上記第１の回転方向への回転に応じて上記弾性部に作用するモーメントと、上記第２の回転方向への回転に応じて上記弾性部に作用するモーメントとのいずれか一方を他方に近づかせる形状に形成された
ことを特徴とする光ディスク装置。
【請求項６】
上記形状は、
上記ねじ溝に係合する係合接点を頂点として非対称となる形状である
ことを特徴とする請求項５に記載の光ディスク装置。
【請求項７】
上記形状は、
上記ねじ溝に係合する係合接点を頂点として上記軸方向のうちの上記弾性部が片持ち保持される保持側に傾斜する傾斜度合いよりも、当該頂点として上記軸方向のうち保持側とは逆側に傾斜する傾斜度合いのほうが大きくなる形状である
ことを特徴とする請求項５に記載の光ディスク装置。
【請求項８】
上記係合部は、
上記第１の回転方向への回転に応じて上記ねじ溝及び上記係合部間に生じる摩擦の摩擦係数と、上記第２の回転方向への回転に応じて上記ねじ溝及び上記係合部間に生じる摩擦の摩擦係数とのうち、大きいほうの上記摩擦係数に小さいほうの上記摩擦係数を近づかせるように、上記ねじ溝との係合面に対して表面処理が施された
ことを特徴とする請求項５に記載の光ディスク装置。
【発明の詳細な説明】
【技術分野】
【０００１】
本発明は、送り装置及び光ディスク装置に関し、光ディスクの径方向に光ピックアップを移動させる光ディスク装置の送り機構部に適用して好適なものである。
【背景技術】
【０００２】
従来、この種の送り駆動機構部は、駆動モータの動力により回転する送りねじを有し、この送りねじの回転に応じて、当該送りねじに摺動自在に取り付けられた光ピックアップを光ディスクの径方向の内周側又は外周側に移動させるようになされている。
【０００３】
この送り駆動機構部には、送りねじに対する光ピックアップのぶれ等を防止する対策として、送りねじのねじ溝に係合する係合爪と、当該係合爪を弾性力により保持する板ばねとを一体形成してなる送りばねが設けられている。
【０００４】
ここで、係合爪を両持ち保持する板ばねを採用した場合、当該板ばねのばね全長とばね乗数との関係により送り駆動機構部が大型化する傾向にあることから、小型化の要請が強い近年では、送りねじの軸方向に沿って片持ち保持する板ばねを採用する場合が多くなってきている（例えば特許文献１参照）。
【特許文献１】特開平７−１２９９６９号公報
【発明の開示】
【発明が解決しようとする課題】
【０００５】
ところが、かかる板ばねを採用した場合、片持ち保持していることに起因して、光ピックアップを内周側に移動させたときと、外周側に移動させたときの力量のバランスがくずれてしまう。
【０００６】
このため、単位時間に同一動力で外周側又は内周側に移動する光ピックアップの移動量が可変することとなり、この結果、光ディスクに対するアクセスの安定性が悪かった。特に、この問題は、温度差が激しい環境下ではより顕在化する傾向にある。
【０００７】
本発明は以上の点を考慮してなされたもので、光ディスクに対するアクセスの安定性を向上し得る送り装置及び光ディスク装置を提案しようとするものである。
【課題を解決するための手段】
【０００８】
かかる課題を解決するため本発明は、光ディスクの径方向に光ピックアップを移動させる送り装置において、駆動モータの動力により第１の回転方向又は当該第１の回転方向とは逆の第２の回転方向に回転する送りねじと、送りねじのねじ溝に係合する係合部と、送りねじの軸方向に沿って係合部を片もち保持する弾性部とを設け、当該ねじ溝又は係合部を、第１の回転方向への回転に応じて弾性部に作用するモーメントと、第２の回転方向への回転に応じて弾性部に作用するモーメントとのいずれか一方を他方に近づかせる形状に形成するようにした。
【０００９】
従ってこの送り装置によれば、そのとき係合部を片もち保持する弾性部における弾性力を加味した状態で、光ディスクの径方向に光ピックアップを移動させる際の力量のバランスが近づくため、当該径方向の外周側又は内周側に移動する光ピックアップの移動量の差を低減することができる。
【００１０】
また本発明は、光ディスクの径方向に光ピックアップを移動させるようにしてデータを記録又は再生する光ディスク装置において、駆動モータと、駆動モータの動力により第１の回転方向又は当該第１の回転方向とは逆の第２の回転方向に回転する送りねじと、送りねじに摺動自在に設けられ、光ピックアップを支持する支持部と、送りねじのねじ溝に係合する係合部と、送りねじの軸方向に沿って係合部を支持部から片もち保持する弾性部とを設け、ねじ溝又は係合部を、第１の回転方向への回転に応じて弾性部に作用するモーメントと、第２の回転方向への回転に応じて弾性部に作用するモーメントとのいずれか一方を他方に近づかせる形状に形成するようにした。
【００１１】
従ってこの光ディスク装置によれば、そのとき係合部を片もち保持する弾性部における弾性力を加味した状態で、光ディスクの径方向に光ピックアップを移動させる際の力量のバランスが近づくため、当該径方向の外周側又は内周側に移動する光ピックアップの移動量の差を低減することができる。
【発明の効果】
【００１２】
本発明によれば、送りねじのねじ溝又はそのねじ溝に係合する係合部を、当該送りねじの第１の回転方向とそれとは逆の第２の回転方向への回転に応じて、そのとき当該係合部を送りねじに沿って片持ち保持する弾性部にそれぞれ作用するモーメントのいずれか一方を他方に近づかせる形状に形成するようにしたことにより、そのとき係合部を片もち保持する弾性部における弾性力を加味した状態で、光ディスクの径方向に光ピックアップを移動させる際の力量のバランスが近づくため、当該径方向の外周側又は内周側に移動する光ピックアップの移動量の差を低減することができ、かくして光ディスクに対するアクセスの安定性を向上し得る送り装置及び光ディスク装置を実現することができる。
【発明を実施するための最良の形態】
【００１３】
以下図面について、本発明の一実施の形態を詳述する。
【００１４】
（１）本実施の形態による光ディスク装置の全体構成
図１において、１は全体として本実施の形態による光ディスク装置を示すものであり、ＤＶＤ（Digital Versatile Disc）、ＣＤ（Compact Disc）又はＢＤ（Blu-ray Disc）等の光ディスク２にデータを記録し、又は当該光ディスク２に記録されたデータを再生し得るようになされている。
【００１５】
すなわちこの光ディスク装置１においては、記録モード時、システムコントローラ３がサーボ制御部４を介してスピンドルモータ５を駆動制御することにより、この光ディスク装置１に装填された光ディスク２を所定状態に回転駆動する。
【００１６】
このとき信号処理部６には、外部機器７からインタフェース８を介して映像音声データやコンピュータデータなどの各種記録用のデータが供給される。信号処理部６は、供給されるデータに対して変調処理等の所定の信号処理を施し、得られた記録データをレーザ駆動データとしてレーザ制御部９に印加する。
【００１７】
レーザ制御部９は、供給されるレーザ駆動データに応じて光ピックアップ１０内に設けられたレーザダイオード（図示せず）を一定のパワーで点滅駆動する。これによりこのレーザダイオードの点滅に応動して光ピックアップ１０から光ディスク２に向けて光ビームＬＢ１が点滅照射され、これにより光ディスク２にデータが記録される。
【００１８】
またこのときこの光ピックアップ１０内に設けられた受光素子（図示せず）からは、光ディスク２で反射される光ビームＬＢ１の反射光ビームＬＢ２に基づいて生成される信号がプリアンプ１１に与えられる。
【００１９】
プリアンプ１１は、かかる信号に基づいてフォーカスエラー信号、トラッキングエラー信号及びＲＦ信号を生成し、フォーカスエラー信号及びトラッキングエラー信号をサーボ制御部４に送出する一方、ＲＦ信号を信号処理部６に送出する。
【００２０】
サーボ制御部４は、供給されるフォーカスエラー信号及びトラッキングエラー信号に基づいて、光ピックアップ１０から発射される光ビームＬＢ１が光ディスク２の情報記録面１０Ａ上においてジャストフォーカス及びジャストトラッキングするように、光ピックアップ１０を光ディスク２の径方向に移動させるための駆動モータ１２や、光ピックアップ１０内に設けられたアクチュエータ（図示せず）を必要に応じて駆動する。
【００２１】
一方、光ディスク装置１においては、再生モード時、記録モード時と同様にシステムコントローラ３がサーボ制御部４を介してスピンドルモータ５を駆動制御することにより、当該光ディスク装置１に装填された光ディスク２を所定状態に回転駆動する。
【００２２】
またこのときレーザ制御部９は、光ピックアップ１０内のレーザダイオード（図示せず）を一定のパワーで点灯させる。これにより光ピックアップ１０から光ディスク２に向けて光ビームＬＢ１が継続照射され、この光ビームＬＢ１の光ディスク２における反射光ビームＬＢ２に基づいて受光素子（図示せず）から出力される信号がプリアンプ１１に与えられる。
【００２３】
プリアンプ１１は、記録モード時と同様に、かかる信号に基づいてフォーカスエラー信号、トラッキングエラー信号及びＲＦ信号を生成し、フォーカスエラー信号及びトラッキングエラー信号をサーボ制御部４に送出する一方、ＲＦ信号を信号処理部６に送出する。
【００２４】
この結果、光ディスク装置１では、記録モード時と同様にして、これらフォーカスエラー信号及びトラッキングエラー信号に基づいたサーボ制御部４の制御のもとに、フォーカス制御及びトラッキング制御が行われる。
【００２５】
さらに信号処理部６は、供給されるＲＦ信号に対して復調処理及び誤り訂正処理等の所定の信号処理を施し、得られた再生データをインタフェース８を介して外部機器７に送出する。
【００２６】
このようにしてこの光ディスク装置１においては、光ディスク２にデータを記録し、又は当該光ディスク２に記録されたデータを再生することができるようになされている。
【００２７】
（２）送り機構部の構成
次に、かかる光ピックアップ１０を移動させる送り機構部の構成を、図１との対応部分に同一符号を付した図２に示す。
【００２８】
この図２において、送り機構部２０は、所定形状のシャーシ２１を有し、このシャーシ２１の所定位置には駆動モータ１２が取り付けられ、当該駆動モータ１２の出力軸１２Ａには第１のギア２２が取り付けられている。
【００２９】
そしてこの第１のギア２２には、第２のギア２３及び第３のギア２４が順次歯合されており、この第３のギア２４は、当該第３のギア２４を同軸に貫通する送りねじ３０の送り軸３０Ａに固定されると共に、当該送りねじ３０はシャーシ２１に回転自在に枢支されている。
【００３０】
またこの送りねじ３０には、光ピックアップ１０の一端の両側に設けられた一対の支持部１０Ａ、１０Ｂが、当該送りねじ３０の回転に応じて光ディスク２の径方向に摺動自在に取り付けられている。
【００３１】
これにより送り機構部２０においては、駆動モータ１２の正転駆動に応動する第１のギア２２、第２のギア２３及び第３のギア２４を順次介して、当該正転駆動の動力を送りねじ３０に伝達し、この動力に基づいて送りねじ３０を第１の回転方向に回転させることで、当該送りねじに３０に取り付けられた支持部１０Ａ、１０Ｂに支持される光ピックアップ１０を、例えば光ディスク２の径方向における外周側に移動させることができるようになされている。
【００３２】
一方、送り機構部２０においては、駆動モータ１２の逆転駆動に応動する第１のギア２２、第２のギア２３及び第３のギア２４を順次介して、当該逆転駆動の動力を送りねじ３０に伝達し、この動力に基づいて送りねじ３０を第２の回転方向に回転させることで、当該送りねじに３０に取り付けられた支持部１０Ａ、１０Ｂに支持される光ピックアップ１０を、例えば光ディスク２の径方向における内周側に移動させることができるようになされている。
【００３３】
またこの送り機構部２０には、送りねじ３０のねじ溝に係合する山形状の係合部（以下、これを係合凸部と呼ぶ）３１と、当該係合凸部３１を弾性力により保持する板ばね部３２とを一体形成してなる送りばね３３が、当該送りねじ３０の軸方向（以下、これをねじ軸方向と呼ぶ）に沿って設けられている。
【００３４】
実際上、この送りばね３３は、板ばね部３２のばね乗数に応じた位置で支持部１０Ｂに固定されると共に、当該板ばね部３２の開放端に係合凸部３１の一端を一体形成するようにして構成されており、当該板ばね部３２の弾性力により係合凸部３１を介して、送りねじ３０に対する光ピックアップ１０のぶれ等を防止し得るようになされている。
【００３５】
かかる構成に加えて、係合凸部３１は、送りねじ３０の第１の回転方向への回転（光ディスク２の外周側への光ピックアップ１０の移動）及び第２の回転方向への回転（光ディスク２の内周側への光ピックアップ１０移動）に応じて板ばね部３２に作用するモーメントを考慮した形状に形成されている。
【００３６】
この実施の形態の場合、図３に示すように、送りねじ３０のねじ溝に係合する係合接点Ｑを頂点として非対称となる山形状、具体的には、送りねじ３０の軸方向のうちの板ばね部３２が片持ち保持される保持側に傾斜する傾斜角度（２２．５[°]）よりも、当該係合接点Ｑを頂点として送りねじ３０の軸方向のうちの保持側とは逆側に傾斜する傾斜角度（４２．５[°]）のほうが大きくなる山形状に形成された係合凸部３１が採用されている。
【００３７】
この場合、送りねじ３０が第１の回転方向に回転（光ピックアップ１０が光ディスク２の外周側に移動）したときには（図３（Ａ））、板ばね部３２の動作支点Ｐを中心に、係合接点Ｑと４．３［ｃｍ］の距離をもって、回転モーメントが作用する一方、当該送りねじ３０が第２の回転方向に回転（光ピックアップ１０が光ディスク２の内周側に移動）したときには（図３（Ｂ））、動作支点Ｐを中心に係合接点Ｑと５．１［ｃｍ］の距離をもって回転モーメントが作用しており、動作支点Ｐから作用する回転モーメントの距離の差は０．８［ｃｍ］となっている。
【００３８】
これに対して、従来型（例えば特許文献１の図４）の係合凸部では、送りねじ３０のねじ溝に係合する係合接点を頂点とする傾斜角度が対称の山形状が採用されており、図３との対応部分に同一符号を付した図４に示すように、当該傾斜角度がともに２２．５[°] となる山形状に形成された係合凸部５１を採用した場合に、係合凸部３１と同一条件では、送りねじ３０が第１の回転方向に回転（光ピックアップ１０が光ディスク２の外周側に移動）したときには、動作支点Ｐを中心に係合接点Ｑと４．３［ｃｍ］の距離をもって回転モーメントが作用する一方、当該送りねじ３０が第２の回転方向に回転（光ピックアップ１０が光ディスク２の内周側に移動）したときには、動作支点Ｐを中心に係合接点Ｑと２．５［ｃｍ］をもって回転モーメントが作用しており、動作支点Ｐから作用する回転モーメントの距離の差は１．８［ｃｍ］となっていた。
【００３９】
ここで、実験結果を図５及び図６に示す。
【００４０】
図５は、送りねじ３０が第１の回転方向に回転（光ピックアップ１０が光ディスク２の外周側に移動）したときに板ばね部３２に作用する力量と、第２の回転方向に回転（光ディスク２の内周側に移動）したときに板ばね部３２に作用する力量とを、傾斜角度がともに２７．５[°] となる左右対称の山形状に形成された従来型の係合凸部を採用した場合（図４（Ａ））及び板ばね部３２に一体形成される側（片持ち保持される側）の傾斜角度（２７．５[°]）よりも大きい傾斜角度（４２．５[°]）となる山形状に形成された本願型の係合凸部を採用した場合（図４（Ｂ））についてそれぞれ同じ条件で測定した結果を示すものである。
【００４１】
この図５からも明らかなように、本願型の係合凸部では、従来型の係合凸部に比して、板ばね部３２に一体形成される側（片持ち保持される側）とは逆側となる傾斜角度を大きくすることで、当該板ばね部３２に作用する力量差が大幅に低減されていることが分かる。
【００４２】
一方、図６は、送りねじ３０の第１の回転方向への回転に応じて光ピックアップ１０が基準位置から光ディスク２の外周側の目的位置にまで移動する時間（アクセスタイム）と、送りねじ３０の第２の回転方向への回転に応じて光ピックアップ１０が基準位置から光ディスク２の内周側の目的位置にまで移動する時間（アクセスタイム）とを、図４と同じ従来型の係合凸部を採用した場合（図５（Ａ））及び本願型の係合凸部を採用した場合（図５（Ｂ））についてそれぞれ同じ条件で測定した結果を示すものである。
【００４３】
この図６からも明らかなように、本願型の係合凸部では、従来型の係合凸部に比して、板ばね部３２に一体形成される側（片持ち保持される側）とは逆側となる傾斜角度を大きくすることで、アクセスタイム差が大幅に低減されていることが分かる。
【００４４】
（３）本実施の形態の動作及び効果
以上の構成において、送り機構部２０では、送りねじ３０のねじ溝に係合する係合凸部３１と、当該係合凸部３１を送りねじ３０の軸方向に片持ち保持する板ばね部３２とが設けられ、当該係合凸部３１が、送りねじ３０の第１の回転方向への回転（光ディスク２の外周側への光ピックアップ１０の移動）に応じて板ばね部３２に作用するモーメントと、当該送りねじ３０の第２の回転方向への回転（光ディスク２の内周側への光ピックアップ１０移動）に応じて板ばね部３２に作用するモーメントとのいずれか一方を他方に近づかせる形状に形成される。
【００４５】
従って、この送り機構部２０では、係合凸部３１を片もち保持する板ばね部３２における弾性力を加味した状態で、光ディスク２の径方向に光ピックアップ１０を移動させる際の力量のバランスが近づくため、当該径方向の外周側又は内周側に移動する光ピックアップ１０の移動量の差を低減することができる。
【００４６】
具体的には、かかる係合凸部３１の形状を、送りねじ３０のねじ溝に係合する係合接点Ｑを頂点として送りねじ３０の軸方向のうちの板ばね部３２が片持ち保持される保持側（内周側）に傾斜する傾斜度合いよりも、当該頂点として軸方向のうち保持側とは逆側（外周側）に傾斜する傾斜度合いのほうが大きくなるように形成する。
【００４７】
この場合、外周側に傾斜する傾斜度合いを内周側よりも大きくして、光ピックアップ１０が内周側に移動する際のモーメントを大きくすることができるため、その分だけ、光ピックアップ１０が外周側に移動する際のモーメントに近づかせることができ、かくして外周側又は内周側に移動する光ピックアップ１０の移動量の差を低減することができる。
【００４８】
以上の構成によれば、送りねじ３０の第１の回転方向への回転（光ディスク２の外周側への光ピックアップ１０の移動）に応じて板ばね部３２に作用するモーメントと、当該送りねじ３０の第２の回転方向への回転（光ディスク２の内周側への光ピックアップ１０移動）に応じて板ばね部３２に作用するモーメントとのいずれか一方を他方に近づかせる形状に係合凸部３１を形成するようにしたことにより、係合凸部３１を片もち保持する板ばね部３２における弾性力を加味した状態で、光ディスク２の径方向に光ピックアップ１０を移動させる際の力量のバランスが近づくため、当該径方向の外周側又は内周側に移動する光ピックアップ１０の移動量の差を低減することができ、かくして光ディスクに対するアクセスの安定性を向上し得る送り機構部２０を実現することができる。
【００４９】
（４）他の実施の形態
上述の実施の形態においては、送りねじのねじ溝に係合する係合部として、山形状の係合凸部３１を適用するようにした場合について述べたが、本発明はこれに限らず、三角形状、三日月形状又は菱形状等、第１の回転方向への回転（光ディスク２の外周側への光ピックアップ１０の移動）に応じて弾性部に作用するモーメントと、第２の回転方向への回転（光ディスク２の内周側への光ピックアップ１０移動）に応じて弾性部に作用するモーメントとのいずれか一方を他方に近づかせる形状であれば、この他種々の形状に形成するようにしても良い。
【００５０】
また、かかる係合部（係合凸部３１）を弾性部（板ばね部３２）と一体形成するようにした場合について述べたが、本発明はこれに限らず、例えば弾性部（板ばね部３２）の開放端の表面上に固定するようにしても良い。
【００５１】
さらに、かかる係合部（係合凸部３１）を板状のものに代えて、立体的形状でなるものを採用するようにしても良い。
【００５２】
また上述の実施の形態においては、第１の回転方向への回転（光ディスク２の外周側への光ピックアップ１０の移動）に応じて弾性部に作用するモーメントと、第２の回転方向への回転（光ディスク２の内周側への光ピックアップ１０移動）に応じて弾性部に作用するモーメントとのうち、大きいほうのモーメントに小さいほうのモーメントのいずれか一方を他方に近づかせる形状に、係合凸部３１を形成するようにした場合について述べたが、本発明はこれに限らず、当該係合凸部３１に代えて、送りねじ３０のねじ溝を形成するようにしても良い。このようにしても上述の実施の形態と同様の効果を得ることができる。
【００５３】
さらに上述の実施の形態においては、第１の回転方向への回転（光ディスク２の外周側への光ピックアップ１０の移動）に応じて弾性部に作用するモーメントと、第２の回転方向への回転（光ディスク２の内周側への光ピックアップ１０移動）に応じて弾性部に作用するモーメントとのうち、大きいほうのモーメントに小さいほうのモーメントのいずれか一方を他方に近づかせる形状に係合凸部３１を形成するようにした場合について述べたが、これに加えて、当該第１の回転方向への回転に応じてねじ溝及び係合凸部３１間に生じる摩擦の摩擦係数と、第２の回転方向への回転に応じてねじ溝及び係合凸部３１間に生じる摩擦の摩擦係数とのうち、大きいほうの摩擦係数に小さいほうの摩擦係数を近づかせるように、係合凸部３１におけるねじ溝との係合面に対して表面処理を施すようにしても良い。このようにすれば、上述の実施の形態に比して、光ディスク２の径方向に光ピックアップ１０を移動させる際の力量のバランスをより近づかせることができため、一段と光ディスクに対するアクセスの安定性を向上することができる。
【００５４】
さらに上述の実施の形態においては、送りねじの軸方向に沿って係合部を片もち保持する弾性部として、板ばね部３２を適用するようにした場合について述べたが、本発明はこれに限らず、例えば線状等のこの他種々の形状のばねを適用するようにしても良く、またこの他種々の弾性材を適用するようにしても良い。
【００５５】
さらに上述の実施の形態においては、光ディスクの径方向に光ピックアップを移動させる送り装置として、図２に示す構成の送り機構部２０を適用するようにした場合について述べたが、本発明はこれに限らず、送りねじの軸方向に沿って係合部を片もち保持するようにすれば、この他種々の構成からなるものを適用するようにしても良い。
【産業上の利用可能性】
【００５６】
本発明は、光ディスクの径方向に光ピックアップを移動させる場合に利用可能である。
【図面の簡単な説明】
【００５７】
【図１】本実施の形態による光ディスク装置の構成を示すブロック図である。
【図２】送り機構部の構成を示す略線図である。
【図３】係合凸部の形状及び板ばね部に作用するモーメントの説明に供する略線図である。
【図４】従来における係合凸部の形状及び板ばね部に作用するモーメントの説明に供する略線図である。
【図５】実験結果（１）を示す略線図である。
【図６】実験結果（２）を示す略線図である。
【符号の説明】
【００５８】
１……光ディスク装置、２……光ディスク、１０……光ピックアップ、１０Ａ、１０Ｂ……支持部、１２……駆動モータ、３０……送りねじ、３１、５１……係合凸部、３２……板ばね部、３３……送りばね、Ｐ……動作支点、Ｑ……係合接点。
【図１】
2006172624.tif 000003
【図２】
2006172624.tif 000004
【図３】
2006172624.tif 000005
【図４】
2006172624.tif 000006
【図５】
2006172624.tif 000007
【図６】
2006172624.tif 000008